(57)【要約】【課題】墓参用具において、火のついた線香を、その火や熱をあまり意識せずに運ぶことができるようにする。【解決手段】線香束５を収容する本体部２と、この本体部２に設けられた取手部と、本体部２内に設けられ、収容された線香束５の燃焼部分５ａから本体部２への熱伝導を低減する線香載置部４とを備える構成とする。【選択図】図２
0003124783.tif 000002
【実用新案登録請求の範囲】
【請求項１】
線香を収容する本体部と、
該本体部に設けられた取手部と、
前記本体部内に設けられ、前記収容された線香の燃焼部分から前記本体部への熱伝導を低減する線香載置部と
を備えることを特徴とする墓参用具。
【請求項２】
前記本体部に設けられ、墓参に用いる水を収容する略円筒形状の容器に係止可能な係止部を更に備えることを特徴とする請求項１記載の墓参用具。
【請求項３】
前記線香載置部は、網状に形成されてなることを特徴とする請求項１又は請求項２記載の墓参用具。
【考案の詳細な説明】
【技術分野】
【０００１】
本考案は、線香を運ぶための墓参用具に関するものである。
【背景技術】
【０００２】
従来より、墓参りをする際に、墓石に設置された香炉に線香を供えるという習慣がある。香炉に線香を供えるに際して、墓前で火をつける者もいるが、火災等の危険があるため所定の場所で火をつける又はつけてもらうという形態を採っている墓地が多い。
【０００３】
なお、線香を運ぶ容器として、２重構造の上側に線香及び発火装置を収容し、下側を水槽とした容器が提案されている（例えば、実開平１−１６４８８２号公報）。
【考案の開示】
【考案が解決しようとする課題】
【０００４】
しかしながら、上記の線香等を収容する容器は、あくまで点火前の線香を収容する容器であるため、墓地内の所定の場所で火をつけた線香を運ぶことはできなかった。なお、墓参りに際しては、お花、お供え物、手桶、掃除用具等を持参するため、火のついた線香を運ぶのは困難である。
【０００５】
本考案の課題は、上記従来の実情に鑑み、火のついた線香を、その火や熱をあまり意識せずに運ぶことができる墓参用具を提供することである。
【課題を解決するための手段】
【０００６】
上記課題を解決するために、本考案の墓参用具は、線香を収容する本体部と、この本体部に設けられた取手部と、上記本体部内に設けられ、上記収容された線香の燃焼部分から上記本体部への熱伝導を低減する線香載置部とを備える構成とする。
【０００７】
上記構成によれば、線香載置部が線香の燃焼部分から本体部への熱伝導を低減するため、火のついた線香を収容しても本体部が高温になりにくい。
【０００８】
好ましくは、上記本体部に設けられ、墓参に用いる水を収容する略円筒形状の容器に係止可能な係止部を更に備える構成とする。
上記構成によれば、墓前に持参する桶等に上記の墓参用具を引掛けることで、火のついた線香の持ち運びが容易になる。
【０００９】
好ましくは、上記線香載置部は、網状に形成されてなる構成とする。
上記構成によれば、網状の線香載置部内に生じる間隙が線香の燃焼部分から本体部への熱伝導を有効に低減する。
【考案の効果】
【００１０】
本考案によれば、火のついた線香の本体部への熱伝導を低減する線香載置部を備えることで、火のついた線香を収容しても本体部が高温になりにくいため、火のついた線香を、その火や熱をあまり意識せずに運ぶことができる。
【考案を実施するための最良の形態】
【００１１】
以下、本考案の実施の形態に係る墓参用具について、図面を参照しながら説明する。
図１Ａは、本考案の一実施の形態に係る墓参用具を示す正面図であり、図１Ｂは、上記墓参用具を示す右側面図である。また、図２は、図１ＡのＩ−Ｉ断面図である。
【００１２】
図１Ａ及び図１Ｂに示すように、墓参用具１は、線香を収容する本体部２と、この本体部２に設けられた取手部３と、本体部２内に設けられ、図２に示す線香束５の燃焼部分５ａから本体部２への熱伝導を低減する線香載置部４とを備えている。
【００１３】
本体部２は、図１Ａに示す正面部分及び図１Ｂに示す右側面（更には左側面）に開口した筐体である。また、本体部２は、図１Ｂに示すように、背面（同図における右側の面）から、木製の把持部３ａを有する取手部３が設けられた上面にかけて湾曲している。そして、本体部２には、前面（図１Ａ参照）と下面（図２参照）とに亘って、線香束５の出し入れを容易にする切り欠き部２ａが形成されている。更に、図１Ａに示すように本体部２の下部両側には脚部２ｂ，２ｂが形成されている。この脚部２ｂ，２ｂは、墓参用具１を地面等に置いた場合において、本体部２からの熱を逃がす働きをしている。
【００１４】
線香載置部４は、図１Ｂに示すように、その上端に反り返り部４ａが形成されており、この反り返り部４ａにより線香載置部４と本体部２との間に所定の間隙を形成することで、線香載置部４（線香束５の燃焼部分５ａ）から本体部２への熱伝導を低減している。また、線香載置部４は、その下面４ｂが本体部２と間隙を有するように盛り上がった形状を呈しており、これによっても本体部２への熱伝導を低減している。更に、線香載置部４の下面４ｂには、図２に示すように、本体部２の奥行き方向（同図における上下方向）にかけて複数の凸部４ｃが形成されている。この線香載置部４の凸部４ｃもまた、線香束５の燃焼部分５ａから本体部２への熱伝導を低減する働きをしている。
【００１５】
なお、本体部２は、一般的な線香束５を２束以上収容できるような大きさとするとよく、その材質には軽量のアルミニウム、ステンレス等を用いることができるが、これらに限定されることはない。また、取手部３の把持部３ａを木製としたが、これは墓参用具１を持ち運ぶ者の手に線香束５の燃焼部分５ａの熱が伝わらないようにするためであり、このような働きを多少なりともするものであれば他の材料からなるようにしてもよい。更に、線香載置部４の材質には、本体部２と同様にアルミニウム、ステンレス等を用いることができるが、やはりこれらに限定されるものではない。
【００１６】
ここで、本実施の形態においては、本考案の線香載置部として、上端に形成された反り返り部４ａ、盛り上がった形状を呈する下面４ｂ、及びこの下面４ｂに形成された凸部４ｃとを有する線香載置部４を採用したが、線香束５の燃焼部分５ａから本体部２への熱伝導を多少でも低減できるものであれば代用可能である。例えば、線香載置部４を、載置される線香束５の下端から燃焼部分５ａ（先端）の手前にかけて盛り上がり、その盛り上がった部分から燃焼部分５ａにかけて下降するような形状とすることで、上記の盛り上がった部分において線香束５を支持することができるため、燃焼部分５ａと線香載置部４との接触を避け、線香載置部４ひいては本体部２への熱移動を有効に低減することができる。
【００１７】
本実施の形態によれば、火のついた線香束５の本体部２への熱伝導を低減する反り返り部４ａ、下面４ｂ及び凸部４ｃを有する線香載置部４を備えることで、火のついた線香束５を収容しても本体部２が高温になりにくいため、火のついた線香束５を、その火や熱をあまり意識せずに運ぶことができる。
【００１８】
図３Ａは、本考案の他の実施の形態に係る墓参用具を示す正面図であり、図３Ｂは、上記墓参用具を示す左側面図である。また、図４は、上記墓参用具及び手桶を示す平面図であり、図５は、図３ＡのIII−III断面図である。
【００１９】
図３Ａ及び図３Ｂに示すように、墓参用具１１は、線香を収容する本体部１２と、この本体部１２に設けられた取手部１３と、本体部１２内に設けられ、図５に示す線香束１５の燃焼部分１５ａから本体部１２への熱伝導を低減する線香載置部１４と、本体部１２に設けられ、墓参に用いる水を収容する略円筒形状の容器としての図４に示す手桶１６に係止可能な係止部１２ｃとを備えている。
【００２０】
本体部１２は、図３Ａに示す正面部分及び図３Ｂに示す左側面（更には右側面）に開口した筐体である。また、本体部１２は、図３Ｂに示すように、背面（同図における左側の面）から、木製の把持部１３ａを有する取手部１３が設けられた上面にかけて湾曲している。そして、本体部１２には、前面（図３Ａ参照）と下面（図５参照）とに亘って、線香束１５の出し入れを容易にする切り欠き部１２ａが形成されている。更に、本体部１２の下部には脚部１２ｂが形成されている。この脚部１２ｂは、図１に示す墓参用具１の脚部２ｂと異なり、図４及び図５に示すように、正面側においては左右に分かれているが、背面側においては一体的に延出している。この背面側における脚部１２ｂには、図４に示すように、手桶１６の外周面に沿って凹部１２ｄが形成されている。なお、本実施の形態に係る墓参用具１１の脚部１２ｂも、墓参用具１２を地面等に置いた場合において、本体部１２からの熱を逃がす働きをしている。
【００２１】
また、本体部１２の背面側に設けられる係止部１２ｃは、図３Ｂに示すように、本体部１２の背面（同図における左側の面）に沿った位置から、水平方向に延び、途中から下方に延びた形状を呈している。これにより、墓参用具１１を手桶１６に引掛けることが可能となり、墓参りをする者は、手桶１６の、支持部１６ｂに支持される把持部１６ａを持つことで、墓参用具１１の把持部１３ａを持つ必要がなくなる。ここで、係止部１２ｃの形状を図３Ｂに示す形状とした場合には、本体部１２の背面（同図における左側の面）に沿う領域において係止部１２ｃを本体部１２に溶接するとよい。なお、係止部１２ｃの形状は、墓参に用いる水を収容する略円筒形状の容器（手桶１６）に引掛けることができるものであればどのようなものでもよい。
【００２２】
線香載置部１４は、図５に示すように網状に形成されており、ここではアルミニウムからなる。そして、線香載置部１４は、その略中心部分においてボルト１４ａ及び不図示のナットにより本体部１２に固定されており、網状の線香載置部内に生じる間隙によって線香束１５の燃焼部分１５ａと本体部１２との熱伝導を低減する働きをしている。
【００２３】
なお、本体部１２は、一般的な線香束１５を２束以上収容できるような大きさとするとよく、その材質にはアルミニウム、ステンレス等を用いることができるが、これらに限定されることはない。また、取手部１３の把持部１３ａを木製としたが、これは墓参用具１１を運ぶ者の手に線香束１５の燃焼部分１５ａの熱が伝わらないようにするためであり、このような働きを多少なりともするものであれば他の材料からなるようにしてもよい。更に、線香載置部１４の材質には、本体部１２と同様にアルミニウム、ステンレス等を用いることができるが、やはりこれらに限定されるものではない。
【００２４】
ここで、本実施の形態においては、本考案の線香載置部として、網状の線香載置部１４を設けたが、上記実施の形態においても説明したように、線香束１５の燃焼部分１５ａから本体部１２への熱移動を多少でも抑えることができるものであれば、代用可能である。
【００２５】
本実施の形態によれば、火のついた線香束１５の本体部１２への熱伝導を低減する網状の線香載置部１４を備えることで、火のついた線香束１５を収容しても本体部１２が高温になりにくいため、火のついた線香束１５を、その火や熱をあまり意識せずに運ぶことができる。
【００２６】
また、係止部１２ｃを備えているため、墓前に持参する手桶１６に墓参用具１１を引掛けることで、火のついた線香束１５を容易に持ち運びすることもできる。
更には、線香載置部１４を網状としたことにより、網状の線香載置部１４内に生じる間隙が線香束１５の燃焼部分１５ａから本体部１２への熱伝導を有効に低減し、本体部１２の高温化を防止することができる。
【図面の簡単な説明】
【００２７】
【図１Ａ】本考案の一実施の形態に係る墓参用具を示す正面図である。
【図１Ｂ】本考案の一実施の形態に係る墓参用具を示す右側面図である。
【図２】図１ＡのＩ−Ｉ断面図である。
【図３Ａ】本考案の他の実施の形態に係る墓参用具を示す正面図である。
【図３Ｂ】本考案の他の実施の形態に係る墓参用具を示す左側面図である。
【図４】上記墓参用具及び手桶を示す平面図であり
【図５】図３ＡのIII−III断面図である。
【符号の説明】
【００２８】
１      墓参用具
２      本体部
２ａ      切り欠き部
２ｂ      脚部
３      取手部
３ａ      把持部
４      線香載置部
４ａ      反り返り部
４ｂ      下面
４ｃ      凸部
５      線香束
５ａ      燃焼部分
１１      墓参用具
１２      本体部
１２ａ      切り欠き部
１２ｂ      脚部
１２ｃ      係止部
１２ｄ      凹部
１３      取手部
１３ａ      把持部
１４      線香載置部
１４ａ      ボルト
１５      線香束
１５ａ      燃焼部分
１６      手桶
１６ａ      把持部
１６ｂ      支持部
【図１Ａ】
0003124783.tif 000003
【図１Ｂ】
0003124783.tif 000004
【図２】
0003124783.tif 000005
【図３Ａ】
0003124783.tif 000006
【図３Ｂ】
0003124783.tif 000007
【図４】
0003124783.tif 000008
【図５】
0003124783.tif 000009